(57)【要約】【課題】コンバイン作業の安全性を向上させると共に、圃場と圃条との間を移動する際に作業者が楽な姿勢で移動することができるものとし、疲労を軽減してコンバインの作業能率を向上させる。【解決手段】機体を走行させる走行装置（２）と、穀稈を刈り取る刈取装置（６）と、該刈取装置（６）によって刈り取った穀稈を脱穀する脱穀装置（３）と、該脱穀装置（３）によって脱穀した穀粒を袋詰めするホッパー（４）と、該ホッパー（４）によって穀粒の袋詰めをする際に作業者が搭乗するステップ（３５）と、該ステップ（３５）に搭乗した作業者の背中部分を支える背部支持部材（３６）と、該ステップ（３５）に搭乗した作業者の腰部を支える腰部支持部材（３９）を設ける。【選択図】図３
2008271907.tif 000002
【特許請求の範囲】
【請求項１】
機体を走行させる走行装置（２）と、穀稈を刈り取る刈取装置（６）と、該刈取装置（６）によって刈り取った穀稈を脱穀する脱穀装置（３）と、該脱穀装置（３）によって脱穀した穀粒を袋詰めするホッパー（４）と、該ホッパー（４）によって穀粒の袋詰めをする際に作業者が搭乗するステップ（３５）と、該ステップ（３５）に搭乗した作業者の背中部分を支える背部支持部材（３６）と、該ステップ（３５）に搭乗した作業者の腰部を支える腰部支持部材（３９）を設けたことを特徴とするコンバイン。
【請求項２】
前記腰部支持部材（３９）を背部支持部材（３６）に対して吊り下げ状態に軸着したことを特徴とする請求項１記載のコンバイン。
【請求項３】
前記腰部支持部材（３９）を背部支持部材（３６）に対して角度変更自在に軸着したことを特徴とする請求項１記載のコンバイン。
【請求項４】
前記背部支持部材（３６）を前側の第１支持フレーム（３４ａ）と後側の第２支持フレーム（３４ｂ）によって支持し、該第１支持フレーム（３４ａ）の基部をホッパー（４）の前側の位置に軸着し、該第２支持フレーム（３４ｂ）の基部をホッパー（４）の後側の位置に軸着したことを特徴とする請求項１記載のコンバイン。
【発明の詳細な説明】
【技術分野】
【０００１】
この発明は、コンバインに関するものである。
【背景技術】
【０００２】
従来のコンバインとして、例えば下記特許文献１に例示するように、機体を走行させる走行装置と、穀稈を刈り取る刈取装置と、該刈取装置によって刈り取った穀稈を脱穀する脱穀装置と、該脱穀装置によって脱穀した穀粒を袋詰めするホッパーと、該ホッパーによって穀粒の袋詰めをする際に作業者が搭乗するステップと、該ステップに搭乗した作業者の背中部分を支える背部支持部材を設けたものがある。
【０００３】
このような背部支持部材を設けることによって、コンバインの刈取走行中に、ステップに搭乗した作業者がコンバインから振り落とされるような危険を少なくしようとするものである。
【特許文献１】実開平６−７５１２０号公報
【発明の開示】
【発明が解決しようとする課題】
【０００４】
しかしながら、上述の従来のコンバインにおいては、ステップ上に腰を掛けられる部分がないものであった。このため、刈取走行中において、作業者は、ステップ上に立ったままの姿勢で袋詰めを行なわなければならない。また、コンバインを移動させる際にも、作業者は、ステップ上に立ったままであり、腰を掛けて休むことができない。
【０００５】
このため、作業者が疲れ易く、長時間の連続作業または長距離の移動を行なうことは困難であった。
この発明は、作業者の疲労を軽減してコンバインの作業能率を高めることを目的としたものである。
【課題を解決するための手段】
【０００６】
この発明は、上述の如き課題を解決するために、次のような技術的手段を講じる。
即ち、請求項１記載の発明は、機体を走行させる走行装置（２）と、穀稈を刈り取る刈取装置（６）と、該刈取装置（６）によって刈り取った穀稈を脱穀する脱穀装置（３）と、該脱穀装置（３）によって脱穀した穀粒を袋詰めするホッパー（４）と、該ホッパー（４）によって穀粒の袋詰めをする際に作業者が搭乗するステップ（３５）と、該ステップ（３５）に搭乗した作業者の背中部分を支える背部支持部材（３６）と、該ステップ（３５）に搭乗した作業者の腰部を支える腰部支持部材（３９）を設けたことを特徴とするコンバインとしたものである。
【０００７】
また、請求項２記載の発明は、前記腰部支持部材（３９）を背部支持部材（３６）に対して吊り下げ状態に軸着したことを特徴とする請求項１記載のコンバインとしたものである。
【０００８】
また、請求項３記載の発明は、前記腰部支持部材（３９）を背部支持部材（３６）に対して角度変更自在に軸着したことを特徴とする請求項１記載のコンバインとしたものである。
【０００９】
また、請求項４記載の発明は、前記背部支持部材（３６）を前側の第１支持フレーム（３４ａ）と後側の第２支持フレーム（３４ｂ）によって支持し、該第１支持フレーム（３４ａ）の基部をホッパー（４）の前側の位置に軸着し、該第２支持フレーム（３４ｂ）の基部をホッパー（４）の後側の位置に軸着したことを特徴とする請求項１記載のコンバインとしたものである。
【発明の効果】
【００１０】
請求項１記載の発明によると、刈取走行しながらホッパー４によって穀粒の袋詰めをする際には、ステップ３５に搭乗した作業者が背部支持部材３６によって背中部分を支えられるために、コンバインから振り落とされるような危険が少なくなり、コンバイン作業の安全性を向上させることができる。また、例えば圃場と圃条との間を移動する際には、作業者が腰部支持部材３９に座って楽な姿勢で移動することができ、疲労を軽減してコンバインの作業能率を向上させることができる。
【００１１】
また、請求項２記載の発明によると、上記請求項１記載の発明の効果に加えて、腰部支持部材３９を背部支持部材３６に対して吊り下げ状態に軸着することによって、該腰部支持部材３９を支持するための特別な部材を必要とせず、コンバインの製造コストを低減して安価に提供することができる。
【００１２】
また、請求項３記載の発明によると、上記請求項１記載の発明の効果に加えて、腰部支持部材３９を作業者の体格や好みに応じて角度変更することができ、作業者が楽な姿勢で腰部支持部材３７に座ることができ、疲労を軽減してコンバインの作業能率を向上させることができる。
【００１３】
また、請求項４記載の発明によると、上記請求項１記載の発明の効果に加えて、背部支持部材３６が前側の第１支持フレーム３４ａと後側の第２支持フレーム３４ｂによって支持されるために、該背部支持部材３６の支持強度が高まり、該背部支持部材３６にもたれる作業者がコンバインから振り落とされるような危険をより少なくして、コンバイン作業の安全性を向上させることができる。また、腰部支持部材を背部支持部材３６に支持させた場合には、この腰部支持部材に掛かる作業者の体重を、背部支持部材３６によって適切に支えることができる。
【発明を実施するための最良の形態】
【００１４】
この発明におけるコンバインの実施の形態を、４条刈の自脱型コンバインを例示して説明する。
図１、図２に示すように、コンバインの機体は、機台１の下側に走行装置２を設け、機台１上に脱穀装置３とホッパー４を左右に併設し、該ホッパー４の前側に操縦部５を設け、前記脱穀装置３の前側に刈取装置６を昇降自在に設けて構成する。
【００１５】
前記走行装置２は、機台１の下面側に左右の主フレーム７，７を溶接し、該左右の主フレーム７，７間にわたって前後の横フレーム８，８を溶接し、該前後の横フレーム８，８の下面側に前後の脚部フレーム９，９の上端部を溶接し、該前後の脚部フレーム９，９の左右の下端部に左右の転輪フレーム１０、１０を溶接し、該転輪フレーム１０，１０に多数の転輪１１、１１を軸支し、走行ミッション（図示省略）から設けた駆動スプロケットと当該転輪１１，１１とにわたって無端帯式のクローラ１２，１２を巻き掛けて構成する。
【００１６】
前記操縦部５は、機台１上に搭載したエンジン１３を覆うエンジンカバー１４と、該エンジンカバー１４の上側に取り付けた座席１５と、該座席１５の前方に設けた操向用の操作レバー１６と、該座席１５の左側方に配置した副変速レバー１７及び主変速レバー１８及び刈取クラッチレバー１９及び脱穀クラッチレバー２０と、前記エンジンカバー１４の後部上側に設けたエアクリーナ２１と、該エアクリーナ２１から上方へ延設したプレエアクリーナ２２と、乗り降り口側の低位置に設けたサブステップ２３から構成する。
【００１７】
前記刈取装置６は、前端部に設けた分草板２４と、該分草板２４の後側に設けた引起装置２５と、該引起装置２５の後側低位置に設けた刈刃２６と、該刈刃２６の上側から後方へ延設した株元搬送装置２７と、該株元搬送装置２７から刈取穀稈を引き継いで後上方へ搬送する供給搬送装置２８とから構成する。
【００１８】
前記脱穀装置５は、扱口側にフィードチェン２９を備えた扱室と、該扱室の下側において前側から唐箕と一番移送螺旋と二番移送螺旋とを設けると共に、これらの上側に揺動選別棚を設けた選別室とから構成する。前記一番移送螺旋から一番揚穀筒３１介して、後述するホッパー４ヘ穀粒を投入する構成である。また、この脱穀装置５の後側には、脱穀後の排藁を切断して圃場に拡散放出する排藁カッター３０を設ける。
【００１９】
前記ホッパー４は、機台１後部から排藁カッター支持フレーム３２を立ち上げ、該排藁カッター支持フレーム３２の上端部を前方へ向けて屈曲させ、該排藁カッター支持フレーム３２の屈曲端部にホッパー４の後端部を連結し、前記エンジン１３を囲うように設置したエンジンルーム形成フレームにホッパー４の前端部を連結することによって支持する。該ホッパー４の下部には２連または３連の穀粒排出口を設け、該穀粒排出口には、シャッターを備えたシュータを設ける。尚、前記排藁カッター支持フレーム３２の上部は、脱穀装置３側のフレームによって連結補強している。また、ホッパー４の下方において、機台１の上面側に板体を取り付け、該板体の側縁部にキャリア３５を前後方向の軸芯を中心として回動自在に取り付ける。前記板体およびキャリア３５を総称してステップと呼ぶ。
【００２０】
そして、前記エンジンルーム形成フレームの上部にステー３３ａを固着し、該ステー３３ａに前側の第１支持フレーム３４ａの基部を軸着し、前記排藁カッター支持フレーム３２の屈曲端部にステー３３ｂを固着し、該ステー３３ｂに第２支持フレーム３４ｂの基部を軸着する。
【００２１】
図３に示すように、１本のパイプ状の支持フレーム３４をコ字形状に曲げて、その平行な２辺を形成する部分を、夫々、第１支持フレーム３４ａ及び第２支持フレーム３４ｂと呼ぶ。そして、該支持フレーム３４の中間部には、スポンジ状の材質から形成した円筒状の背部支持部材３６を串刺し状に嵌めて取り付ける。これにより、背部支持部材３６を、ホッパー４の上側を経て脱穀装置３の上側まで回動させた格納位置と、ホッパー４の外側へ向けて張り出させた使用位置とにわたり、回動自在に構成するものである。
【００２２】
また、腰部支持フレーム３７を、１本のパイプ状の支持フレームをコ字形状に曲げて形成し、その平行な２辺を形成する部分の両端部にボス部３８，３８を固定する。そして、該ボス部３８，３８を、前記支持フレーム３４における背部支持部材３６の前側及び後側の部分に夫々回動自在に軸支する。また、腰部支持フレーム３７における残り１辺の部分には、スポンジ状の材質から形成した円筒状の腰部支持部材３９を串刺し状に嵌めて取り付ける。これにより、腰部支持部材３９を、背部支持部材３６の直下よりも機体内側へ移動させて、この腰部支持部材３９へ作業者が着座することができるものである。
【００２３】
図５〜８に示すように、前記ボス部３８，３８を支持フレーム３４に対して摺動自在に嵌合させ、後側のボス部３８を前方へ押圧付勢するスプリング４０を設け、前側のボス部３８と一体で回動する摺動自在なピン４０を設ける。そして、前記支持フレーム３４側に固定した円盤４１に、円周方向に所定の間隔をおいて多数の孔４１ａを設け、該孔４１ａにピン４０が嵌合するように構成する。この構成により、腰部支持部材３９をスプリング４０の押圧力に抗して後方へ摺動させると、前記ピン４０が孔４１ａから抜け、腰部支持部材３９を回動させて角度調節できる状態となる。角度調節終了後は、腰部支持部材３９をスプリング４０の押圧力によって前方へ摺動させ、ピン４０を変更後の孔４１ａに嵌合させて固定する。即ち、背部支持部材３６に対する腰部支持部材３９の位置を多段階に調節でき、例えば図７に示すように、腰部支持部材３９を背部支持部材３６の直下位置に調節すれば、この腰部支持部材３９が、作業者がキャリア３５上に立って作業する際の保護部材として機能する。また、図８に示すように、腰部支持部材３９を背部支持部材３６よりも機体内側に入り込んだ位置に調節すると、作業者がこの腰部支持部材３９上に腰を掛けることができ、コンバインを長距離走行させても、疲れにくくなる。これにより、キャリア３５上に別途座席を設ける必要がなく、コンバインを安価に提供することができる。また、キャリア３５上で袋詰め作業を行なう際に邪魔にならず、作業能率を低下させずにすむ。
【００２４】
また、上記の構成において、腰部支持部材３９の直径をボス部３８の直径よりも大きく形成することで、作業者の背中部分がボス部３８，３８に接触しにくくなり、快適に作業することができる。
【００２５】
また、図９に示すように、前記支持フレーム３４の第１支持フレーム３４ａと第２支持フレーム３４ｂにも円筒状のスポンジから形成したクッション部材４２を串刺し状態に取り付けてもよい。これにより、コンバインの急発進や急停止によってキャリア３５上の作業者がつんのめっても、この作業者の体が支持フレーム３４に直接当たることがなく、快適な作業を行なうことができる。
【００２６】
また、図１０に示すように、腰部支持フレーム３７および腰部支持部材３９を前後に２分割して構成し、該腰部支持部材３９の角度調節機構を、前述の構成と同様に、前後対称に独立して設けてもよい。これにより、２人の作業者が袋詰め作業を行なう際に、前後の腰部支持部材３９，３９を、夫々の作業者に適した状態に調節することができる。
【００２７】
尚、図１１〜１３に参考例として示す背部支持部材３６は、支持フレーム３４の後端部のみを機体側に軸着し、前端部側を自由端としたものである。この場合、背部支持部材３６は板状のクッション材とし、支持フレーム３４の前端部を機体内側に向けて屈曲させて構成する。この背部支持部材３６を作業状態とした場合に、支持フレーム３４の前端部が機体内側に向かって屈曲していることにより、この屈曲部が保護部材として機能し、作業者が前方へ振り落とされることが防止できる。
【００２８】
図１４は、上記のように支持フレーム３４の前端部を機体内側に向けて屈曲させたうえに、背部支持部材３６として円筒状のクッション材を取り付けた例である。
また、図１５は、上記のように支持フレーム３４の前端部を機体内側へ向けて屈曲させたうえに、円筒状のクッション材を、この屈曲した前端部まで一体的に覆ったものである。これにより、作業者の体が直接支持フレーム３４に当たって怪我をするようなことが少なくなる。
【００２９】
また、図１６は、円筒状のクッション材を、支持フレーム３４の基部側（第２支持フレーム３４ｂ）まで、一体的に覆ったものである。これにより、作業者の体が直接支持フレーム３４に当たって怪我をするようなことが更に少なくなる。
【図面の簡単な説明】
【００３０】
【図１】コンバインの平面図である。
【図２】コンバインの背面図である。
【図３】要部の斜視図である。
【図４】コンバインの平面図である。
【図５】コンバインの背面図である。
【図６】要部の斜視図である。
【図７】作用状態の説明図である。
【図８】作用状態の説明図である。
【図９】要部の斜視図である。
【図１０】要部の斜視図である。
【図１１】コンバインの平面図である。
【図１２】コンバインの背面図である。
【図１３】要部の斜視図である。
【図１４】要部の斜視図である。
【図１５】要部の斜視図である。
【図１６】要部の斜視図である。
【符号の説明】
【００３１】
２    走行装置
３    脱穀装置
４    ホッパー
６    刈取装置
３４ａ  第１支持フレーム
３４ｂ  第２支持フレーム
３５    ステップ
３６    背部支持部材
３９    腰部支持部材
【図１】
2008271907.tif 000003
【図２】
2008271907.tif 000004
【図３】
2008271907.tif 000005
【図４】
2008271907.tif 000006
【図５】
2008271907.tif 000007
【図６】
2008271907.tif 000008
【図７】
2008271907.tif 000009
【図８】
2008271907.tif 000010
【図９】
2008271907.tif 000011
【図１０】
2008271907.tif 000012
【図１１】
2008271907.tif 000013
【図１２】
2008271907.tif 000014
【図１３】
2008271907.tif 000015
【図１４】
2008271907.tif 000016
【図１５】
2008271907.tif 000017
【図１６】
2008271907.tif 000018